(57)【要約】【課題】ラックの支柱に対する梁材の外れ止めとなる抜け止め板を薄板から製造できるようにする。【解決手段】支柱３側の係止孔１２に梁材６の端の係止板１５側の係止爪２０を係合させて、支柱３に梁材６を連結し、係止板１５の上側に位置する空の係止孔１２に対して係脱自在で外側突出部２２により係止板１５の上動を阻止する抜け止め板２１が設けられた連結構造において、抜け止め板２１は、係止板１５の板厚よりも薄い板厚の板材で構成され、係止孔１２の上下両側辺の内の少なくとも一方には、上下方向に凹入し且つ係止板１５の板厚よりも小巾で抜け止め板２１の板厚より巾広の切欠き凹部１３ａが設けられ、抜け止め板２１は、係止孔１２を貫通する箇所の上下両側辺の少なくとも一方が切欠き凹部１３ａ内に嵌合して垂直姿勢に保持される構成。【選択図】図６
2007159947.tif 000002
【特許請求の範囲】
【請求項１】
ラックの支柱と梁材との連結構造であって、支柱の前側板部には、支柱長さ方向適当間隔おきに係止孔が設けられ、梁材の端に付設された係止板には、上下複数の前記係止孔に対し嵌脱自在で且つ当該係止板の下動により前記係止孔の下方内側に係合する上下複数の係止爪が設けられ、この係止板の上側に位置する前記係止孔に対して係脱自在で当該係止孔から外側に突出する外側突出部で前記係止板の上動を阻止する抜け止め板が設けられたラックの支柱と梁材との連結構造において、前記抜け止め板は、前記係止板の板厚よりも薄い板厚の板材で構成され、前記係止孔の上下両側辺の内の少なくとも一方には、上下方向に凹入し且つ前記係止板の板厚よりも小巾で前記抜け止め板の板厚より巾広の切欠き凹部が設けられ、前記抜け止め板は、前記係止孔を貫通する箇所の上下両側辺の少なくとも一方が前記切欠き凹部内に嵌合して垂直姿勢に保持されるように構成されている、ラックの支柱と梁材との連結構造。
【請求項２】
前記係止孔の切欠き凹部は、当該係止孔の上下両側辺それぞれに設けられ、抜け止め板は、前記係止孔を貫通する箇所の上下両側辺がそれぞれ切欠き凹部に嵌合して垂直姿勢が保持されるように構成されている、請求項１に記載のラックの支柱と梁材との連結構造。
【請求項３】
前記上下一対の切欠き凹部は、上側の切欠き凹部の深さが下側の切欠き凹部の深さよりも深くなるように構成されている、請求項２に記載のラックの支柱と梁材との連結構造。
【請求項４】
前記支柱の前側板部には、その巾方向中央部に支柱長さ方向に沿って角形凹溝部が形成され、この凹溝部の底板部に前記係止孔が設けられている構成において、前記係止孔の切欠き凹部は、前記凹溝部の側板部に隣接して設けられている、請求項１〜３の何れか１項に記載のラックの支柱と梁材との連結構造。
【請求項５】
前記凹溝部が、支柱の左右両側の梁材の係止板を並列状態で係止させたときに両係止板間に当該係止板の板厚以下の隙間しか生じない小巾のものであって、前記係止孔は、凹溝部の左右両側板部間の内巾一杯に形成され、前記切欠き凹部は、１つの係止孔に対し凹溝部の左右両側板部それぞれに隣接して左右一対設けられている、請求項４に記載のラックの支柱と梁材との連結構造。
【請求項６】
前記凹溝部が、支柱の左右両側の梁材の係止板を並列状態で係止させたときに両係止板間に当該係止板の板厚以上の空間が生じる巾広のものであって、前記係止孔は、凹溝部の左右両側板部それぞれに隣接するように左右一対設けられ、前記切欠き凹部は、左右一対の係止孔それぞれに分けて設けられている、請求項４に記載のラックの支柱と梁材との連結構造。
【発明の詳細な説明】
【技術分野】
【０００１】
本発明は、区画用垂直フレーム間に荷支持用水平フレームを架設して成るラックなどにおいて採用できる、支柱と梁材との連結構造に関するものである。
【背景技術】
【０００２】
前後の支柱を斜め連結材で連結して構成された区画用垂直フレームを適当間隔おきに立設し、各区画用垂直フレームの前側支柱間及び後側支柱間に水平の梁材を架設し、この前後の梁材間に桟材を架設して荷支持用水平フレームを構成して成るラックが知られている。そしてこの種のラックにおける支柱と梁材との連結構造として、支柱の前側板部には、支柱長さ方向適当間隔おきに係止孔を設け、梁材の端に付設された係止板には、上下複数の前記係止孔に対し嵌脱自在で且つ当該係止板の下動により前記係止孔の下方内側に係合する上下複数の係止爪を設け、この係止板の上側に位置する前記係止孔に対して係脱自在で当該係止孔から外側に突出する外側突出部で前記係止板の上動を阻止する抜け止め板を設けた構成が、例えば特許文献１などによって知られている。
【特許文献１】特開２００２−５１８４６号公報
【発明の開示】
【発明が解決しようとする課題】
【０００３】
特許文献１などによって知られているラックの支柱と梁材との連結構造では、梁材の端に取り付けられる係止板は、必要な強度の確保のために板厚の十分な鉄板の裁断と曲げ加工により構成されるもので、高い寸法精度が確保し難いこともあって、支柱側に設けられる係止孔は、板厚の厚い係止版の板厚よりも更に十分広い巾に構成される。一方、このラックに対するフォークリフトなどによる荷の搬出作業時に、フォーキング操作のミスにより、搬出する荷を介して上段の荷支持用水平フレームに対し押し上げと共に外側に引き出すような不当な外力を与えてしまう場合がある。このような荷支持用水平フレームに作用する不当な外力は、荷搬出側の梁材の端の係止板を支柱側から取り外すときの操作力と同一に働くので、当該係止板（荷搬出側の梁材）の係止爪の一部（主として最下段の係止爪など）が支柱側の係止孔から外れてしまう恐れがある。
【０００４】
上記の問題点を解消するために前記抜け止め板が併用されているのであるが、当該抜け止め板は、係止板の最初の上動を制止することができれば良いので、係止板に比較して薄板から成るものであっても十分に所期の目的を達成することができるのであるが、実際には、上記の理由で巾広に形成されている係止孔に係合させるものであるから、この係止孔内で抜け止め板が倒れて機能しなくなるのを避けるために、少なくとも係止板と同程度の板厚の鉄板から構成する必要があった。このため、抜け止め板に係るコストが高くつく結果となっていた。
【課題を解決するための手段】
【０００５】
本発明は上記のような従来の問題点を解消し得るラックの支柱と梁材との連結構造を提供することを目的とするものであって、その手段を後述する実施形態の参照符号を付して示すと、ラックの支柱３と梁材６との連結構造であって、支柱３の前側板部９には、支柱長さ方向適当間隔おきに係止孔１２が設けられ、梁材６の端に付設された係止板１５には、上下複数の前記係止孔１２に対し嵌脱自在で且つ当該係止板１５の下動により前記係止孔１２の下方内側に係合する上下複数の係止爪２０が設けられ、この係止板１５の上側に位置する前記係止孔１２に対して係脱自在で当該係止孔１２から外側に突出する外側突出部２２で前記係止板１５の上動を阻止する抜け止め板２１が設けられたラックの支柱３と梁材６との連結構造において、前記抜け止め板２１は、前記係止板１５の板厚よりも薄い板厚の板材で構成され、前記係止孔１２の上下両側辺の内の少なくとも一方には、上下方向に凹入し且つ前記係止板１５の板厚よりも小巾で前記抜け止め板２１の板厚より巾広の切欠き凹部１３ａが設けられ、前記抜け止め板２１は、前記係止孔１２を貫通する箇所の上下両側辺の少なくとも一方が前記切欠き凹部１３ａ内に嵌合して垂直姿勢に保持される構成となっている。
【０００６】
上記構成の本発明を実施するについて、具体的には請求項２に記載のように、前記係止孔１２の切欠き凹部１３ａ，１３ｂは、当該係止孔１２の上下両側辺それぞれに設け、抜け止め板２１は、前記係止孔１２を貫通する箇所の上下両側辺がそれぞれ切欠き凹部１３ａ，１３ｂに嵌合して垂直姿勢に保持されるように構成することができる。更に、この請求項２に記載の構成を採用する場合、請求項３に記載のように、前記上下一対の切欠き凹部１３ａ，１３ｂは、上側の切欠き凹部１３ａの深さが下側の切欠き凹部１３ｂの深さよりも深くなるように構成することができる。
【０００７】
又、前記支柱３の前側板部９に、その巾方向中央部に支柱長さ方向に沿って角形凹溝部１１が形成され、この凹溝部１１の底板部１１ａに前記係止孔１２が設けられている構成においては、請求項４に記載のように、前記係止孔１２の切欠き凹部１３ａは、前記凹溝部１１の側板部１１ｂに隣接して設けることができる。
【０００８】
又、前記支柱３の前側板部９に、その巾方向中央部に支柱長さ方向に沿って角形凹溝部１１が形成され、この凹溝部１１の底板部１１ａに前記係止孔１２が設けられている構成であって、支柱巾が狭いために、前記凹溝部１１が、支柱３の左右両側の梁材６の係止板１５を並列状態で係止させたときに両係止板１５間に当該係止板１５の板厚以下の隙間しか生じない小巾のものとなる場合、請求項５に記載のように、前記係止孔１２は、凹溝部１１の左右両側板部１１ｂ間の内巾一杯に形成し、前記切欠き凹部１３ａは、１つの係止孔１２に対し凹溝部１１の左右両側板部１１ｂそれぞれに隣接して左右一対設けることができる。
【０００９】
又、前記支柱３の前側板部９に、その巾方向中央部に支柱長さ方向に沿って角形凹溝部１１が形成され、この凹溝部１１の底板部１１ａに前記係止孔１２が設けられている構成であって、支柱巾が広いために、前記凹溝部１１が、支柱３の左右両側の梁材６の係止板１５を並列状態で係止させたときに両係止板１５間に当該係止板１５の板厚以上の空間が生じる巾広のものとなる場合、請求項６に記載のように、前記係止孔１２Ａ，１２Ｂは凹溝部１１の左右両側板部１１ｂのそれぞれに隣接するように左右一対設け、前記切欠き凹部１３ａは、左右一対の係止孔１２Ａ，１２Ｂそれぞれに分けて設けることができる。
【発明の効果】
【００１０】
上記構成の本発明に係るラックの支柱と梁材との連結構造によれば、梁材の端の係止板の上下複数の係止爪を支柱側の上下複数の係止孔内に嵌入させ、係止板の下動により各係止爪を各係止孔の下方内側に係合させた状態で、係止板の直上位置にある係止孔に抜け止め板を挿入係止することにより、係止板の上動を当該抜け止め板の外側突出部で阻止させることができるのであるが、本発明の構成では、抜け止め板の係止孔を貫通する部分の上下少なくとも一方の側辺が係止孔に形成された切欠き凹部内に嵌合することになるので、当該抜け止め板が係止板の板厚よりも薄い板厚の板材で構成され且つ当該係止板が係合する巾の広い係止孔に装着されるものであるにもかかわらず、前記切欠き凹部により抜け止め板の係止孔内での倒れを阻止させて垂直姿勢に確実に保持させることができる。従って、抜け止め板を薄板から構成してコストダウンを図りながら、当該抜け止め板による係止板の上動阻止機能を確実に発揮させ、荷搬出時のフォーキング操作のミスにより荷搬出側の梁材に押し上げ力を作用させてしまっても、係止板の係止爪の一部（主として最下段の係止爪など）が支柱側の係止孔から外れてしまう危険な事態を回避でき、安全性を高めることができる。
【００１１】
尚、請求項２及び３に記載の構成によれば、抜け止め板の上下両側辺の両方を切欠き凹部それぞれに嵌合させて当該抜け止め板を垂直姿勢に保持させることができるので、抜け止め板の板厚をより一層薄くすることが可能になる。
【００１２】
又、請求項４に記載の構成によれば、板厚の薄い抜け止め板を係止孔にセットするとき、当該抜け止め板を凹溝部の側板部に沿わせて挿入することにより確実に当該抜け止め板を切欠き凹部内に導入させることができ、抜け止め板のセッティング操作を容易に行える。
【００１３】
更に、支柱巾が狭いために前記係止孔が巾の狭い凹溝部の左右両側板部間の内巾一杯に構成される場合や、支柱巾が広いために前記係止孔が巾の広い凹溝部の左右両側板部それぞれに隣接するように左右一対設けられる場合には、請求項５や６に記載の構成を採用すれば良い。
【発明を実施するための最良の形態】
【００１４】
以下に本発明の具体的実施例を添付図に基づいて説明すると、ラックの一部分を示す図１において、１は区画用垂直フレームであって、適当間隔おきに立設される多数の区画用垂直フレームの内、隣り合う２つの区画用垂直フレーム１が示されている。２は荷支持用水平フレームであって、隣り合う各区画用垂直フレーム１間に上下複数段に架設される荷支持用水平フレームの内、隣り合う２つの区画用垂直フレーム１間に架設された上下２段の荷支持用水平フレーム２が示されている。
【００１５】
各区画用垂直フレーム１は、前側支柱３と後側支柱４、及び前後両支柱３，４どうしを連結一体化する斜め連結材５から構成されたラチス構造のものである。荷支持用水平フレーム２は、前側梁材６と後側梁材７、及び前後両梁材６，７間で当該梁材６，７の長さ方向適当間隔おきに架設された前後方向の桟材８から構成された梯子構造のものである。
【００１６】
支柱３，４は同一構造のものを前後対称に配置したもので、各支柱３，４は、図３〜図５に示すように、前側板部９と左右両横側板部１０とから成る横断面略コ字形中空状のもので、前側板部９は、その左右巾方向の中央位置に角形凹溝部１１がこの支柱を構成する板材の曲げ加工により一体に形成されることにより、当該凹溝部１１を間にして左右２列の角形突出部９ａ，９ｂが形成され、左右両横側板部１０には、前後巾方向の中央位置の段部１０ａを介して後側辺側に内寄り側板部１０ｂが形成され、この内寄り側板部１０ｂ間で前記斜め連結材５の端部が挟持されてボルトナットとやリベットなどで結合される。又、この実施形態の支柱３，４は巾の狭いもので、前記凹溝部１１の底板部１１ａには、当該凹溝部１１の左右両側板部１１ｂ間の全巾と同一巾の係止孔１２が支柱長さ方向等間隔おきに設けられ、更に各係止孔１２の上下両側縁には、図５に詳細を示すように、凹溝部１１の左右両側板部１１ｂに隣接するように上下一対の切欠き凹部１３ａ，１３ｂ及び１４ａ，１４ｂが設けられている。これら上下一対の切欠き凹部１３ａ，１３ｂ及び１４ａ，１４ｂの内、下側切欠き凹部１３ｂ，１４ｂの深さは浅く、上側切欠き凹部１３ａ，１４ａは上方に長く延出して深さが深く構成されている。
【００１７】
各梁材６，７はその両端に係止板１５を備えたもので、この係止板１５を含めて両梁材６，７は同一構造のものを前後対称に配置したものである。梁材６，７は、板材を略縦長矩形筒状に曲げ加工して構成したもので、その桟材８の端部係止位置には、上側板部１６から後側板部１７にわたってＬ形に桟材係止用スリット１８が設けられている。係止板１５は、図２〜図４に示すように、梁材６，７の端部に溶接などで固着された基板部１９ａと、この基板部１９ａの前端から曲げ加工されて一体に形成された平面コ字形の嵌合部１９ｂとを備えている。この嵌合部１９ｂの内巾は、支柱３，４の前側板部９における角形突出部９ａ，９ｂの巾より若干大きいもので、その垂直な遊側辺（基板部１９ａと平行な外側板部１９ｃの垂直な遊側辺）には、上下方向４つの係止爪２０が一体に形成突設されている。これら各係止爪２０は、図６Ｂに示すように、支柱３，４側の係止孔１２の上下間隔と等しい上下間隔で下向きに延出するように突設されたもので、任意の高さにある支柱３，４側の連続する４つの係止孔１２に同時に差込みながら下動させることにより、各係止爪２０を支柱３，４側の４つの係止孔１２の下方内側に係合させることができる形状に構成されている。又、この係止板１５を構成する板材の板厚は、図４及び図５に示すように、支柱３，４側の凹溝部１１の内巾の半分より若干小さく、各切欠き凹部１３ａ〜１４ｂの巾よりも十分に大きい。
【００１８】
図６〜図８において、２１は抜け止め板である。この抜け止め板２１は、支柱３，４側の各係止孔１２に設けられた切欠き凹部１３ａ〜１４ｂの巾よりも若干薄い板厚の板材から構成されたもので、使用状態において係止孔１２から外側に突出する外側突出部２２と、係止孔１２から支柱３，４の内側に入り込み且つ下方に垂下する、外側突出部２２より大きて大重量の内側垂下部２３とから成り、外側突出部２２の基部（内側垂下部２３に隣接する箇所）には、係止孔１２の上側切欠き凹部１３ａ（又は１４ａ）より上方に突出する上側突出部２２ａと、係止孔１２の下側切欠き凹部１３ｂ（又は１４ｂ）より下方に延出する下側延出部２２ｂとが設けられ、内側垂下部２３は、その基部（外側突出部２２に隣接する箇所）が上下対をなす切欠き凹部１３ａ，１３ｂ（又は１４ａ，１４ｂ）の両方に嵌合し得る高さを有し、この上下対をなす切欠き凹部１３ａ，１３ｂ（又は１４ａ，１４ｂ）に内側垂下部２３の基部の上下両側辺が嵌合した状態では、この抜け止め板２１の上下遊動が許容範囲内に抑えられるように構成されている。又、内側垂下部２３は、図９に仮想線で示すように、上下対をなす切欠き凹部１３ａ，１３ｂ（又は１４ａ，１４ｂ）間において係止孔１２に内側垂下部２３を斜め下向きに挿入した後、外側突出部２２の下端付近を支点に抜け止め板２１の全体を、内側垂下部２３が係止孔１２から下方に進入する方向に回転させ、外側突出部２２の上側突出部２２ａを上側切欠き凹部１３ａ（又は１４ａ）の上側で凹溝部１１の底板部ａの表面に当接させると共に内側垂下部２３を凹溝部１１の底板部１１ａの裏面に当接させることができる形状に構成されている。
【００１９】
上記構成のラックの組立方法について説明すると、図１に示すように、区画用垂直フレーム１を荷支持用水平フレーム２の梁材６，７の長さに対応した間隔おきに立設し、２つの区画用垂直フレーム１間に任意の荷支持レベルで荷支持用水平フレーム２を架設する。即ち、前側梁材６は左右両側の区画用垂直フレーム１の前側支柱３間に架設すると共に、後側梁材７は前側支柱３と同一レベルで左右両側の区画用垂直フレーム１の後側支柱４間に架設し、最後に桟材８を前後の梁材６，７間に、その両端の係止爪を前後の梁材６，７の桟材係止用スリット１８に上から落とし込むように係合させて架設し、荷支持用水平フレーム２を組み立てるのである。
【００２０】
上記の梁材６，７を左右両側の支柱３間及び支柱４間に架設する方法について説明すると、梁材６，７の端の係止板１５を、その嵌合部１９ｂを支柱３，４の前側板部９における片側の角形突出部９ａ（又は９ｂ）に外嵌させて各段係止爪２０を支柱３，４側の係止孔１２に挿入させながら下動させることにより、各段係止爪２０を支柱３，４側の係止孔１２の下方内側にそれぞれ係合させる。この状態では、係止板１５の嵌合部１９ｂが支柱３，４の前側板部９における片側の角形突出部９ａ（又は９ｂ）に外嵌していることにより、支柱３，４に対する梁材６，７の左右水平方向の位置が決まると共に、係止板１５の各段係止爪２０の基部が支柱３，４側の係止孔１２の下辺に受け止められていることにより、支柱３，４に対する当該梁材６，７の上下方向の位置が決まり、そして係止板１５の各段係止爪２０の基部と係止板１５の嵌合部１９ｂにおける外側板部１９ｃとの間で支柱３，４側の凹溝部１１の底板部１１ａを挟んでいることにより、支柱３，４に対する当該梁材６，７の前後方向の位置が決まることになるが、係止板１５を支柱３，４に対して上動させながら嵌合部１９ｂを支柱３，４側の角形突出部９ａ（又は９ｂ）から離間させるように、組立時とは逆の操作をすることにより、梁材６，７を支柱３，４から取り外すことができる。
【００２１】
従って、荷支持用水平フレーム２を使用に供するときは、最後に抜け止め板２１を組み付ける。即ち、上記のように支柱３，４に嵌合係止させた係止板１５の直上に位置する空きの係止孔１２が備える上下対をなす切欠き凹部１３ａ〜１４ｂの内、上動を阻止させたい係止板１５（嵌合部１９ｂの外側板部１９ｃ）の真上に位置する上下の切欠き凹部１３ａ，１３ｂ（又は１４ａ，１４ｂ）間において、係止孔１２に抜け止め板２１の内側垂下部２３を斜め下向きに挿入した後、外側突出部２２の下端付近を支点に抜け止め板２１の全体を、内側垂下部２３が係止孔１２から下方に進入する方向に回転させ、外側突出部２２の上側突出部２２ａを上側切欠き凹部１３ａ（又は１４ａ）の上側で凹溝部１１の底板部ａの表面に当接させると共に内側垂下部２３を凹溝部１１の底板部１１ａの裏面に当接させる。このようにセットされた抜け止め板２１は、外側突出部２２よりも内側垂下部２３が大きくて大重量であるから、重力でセット状態に保持されることになり、セット時とは逆操作で抜き取らない限り、不測に脱落することは無い。
【００２２】
上記のように支柱３，４にセットされた抜け止め板２１は、その外側突出部２２の下端が直下の係止板１５の嵌合部１９ｂにおける外側板部１９ｃの上端に小間隙を隔てて対面しており、そして内側垂下部２３の基部の上辺と上側切欠き凹部１３ａ（又は１４ａ）の奥端面との当接により抜け止め板２１の上動が阻止されると共に、外側突出部２２の上側突出部２２ａと凹溝部１１の底板部ａの表面との当接及び内側垂下部２３と凹溝部１１の底板部１１ａの裏面との当接により、外側突出部２２が上動する方向に回動することも阻止されている。従って、下段の荷支持用水平フレーム２に支持された荷をフォークリフトなどで搬出するときのフォーキング操作のミスによって、その搬出する荷で上段の荷支持用水平フレーム２の荷搬出側の梁材６（又は７）を押し上げてしまうような事態が生じても、図７に仮想線で示すように、支柱３（又は４）に対する係止板１５の上動がその直上に位置する抜け止め板２１によって確実に許容範囲内に抑えられるので、荷搬出側の梁材６（又は７）の浮き上がりを確実に防止できる。
【００２３】
尚、上記実施形態では、巾の狭い支柱３，４が使用される場合の構造を示している。この支柱３，４の凹溝部１１は、図１に示すように、１つの支柱３，４にその両側の梁材６，７の端の係止板１５を同一レベルで係止させたとき、並列する両係止板１５間に当該係止板１５の板厚以下の隙間しか生じない小巾のものとなるが、図１０及び図１１に示すように、巾の広い支柱２４の場合、凹溝部１１は、１つの支柱２４にその両側の梁材６，７の端の係止板１５を同一レベルで係止させたとき、並列する両係止板１５間に当該係止板１５の板厚以上の空間が生じる巾広のものとなる。換言すれば、このような巾広の支柱２４においても同一の係止板１５が使用できるように、凹溝部１１の左右両側の角形突出部９ａ，９ｂの巾を変えないで当該凹溝部１１の巾を広くすることになる。このような巾広の支柱２４の場合には、係止板１５側の係止爪２０を係合させる係止孔を凹溝部１１の底板部１１ａの巾一杯に設けることによって支柱の強度が低下するのを避けるために、当該凹溝部１１の左右両側板部１１ｂのそれぞれに隣接して左右２つの係止孔１２Ａ，１２Ｂを設けるのが望ましい。従って、抜け止め板２１を係合させるための上下一対の切欠き凹部１３ａ，１３ｂ及び１４ａ，１４ｂは、左右２つの係止孔１２Ａ，１２Ｂのそれぞれに、凹溝部１１の左右両側板部１１ｂに隣接して設けられることになる。
【００２４】
又、上記実施形態では、係止板１５側の係止爪２０を上下方向等間隔で４つ設けたが、支柱側に支柱長さ方向等間隔おきに設けられた係止孔１２，１２Ａ，１２Ｂの単位間隔と同一間隔又は当該単位間隔の整数倍の間隔で少なくとも２つの係止爪２０が設けられていれば良い。更に、抜け止め板２１を支柱長さ方向に沿った垂直姿勢に保持させる切欠き凹部として、抜け止め板２１における内側垂下部２３の基部の上下両側辺が嵌合する上下一対の切欠き凹部１３ａ，１３ｂ及び１４ａ，１４ｂを設けたが、切欠き凹部の深さを適当に深くすれば、上下何れか一方の切欠き凹部１３ａ，１４ａ又は１３ｂ，１４ｂのみを設けることもできる。
【００２５】
更に、上記実施形態では、特許文献１に記載された従来構成において使用されている抜け止め板（抜止部材）とは形状の異なる本発明独特の抜け止め板２１を併用しているが、本発明は、特許文献１に記載されたような従来周知の抜け止め板（抜止部材）を利用することも可能である。
【図面の簡単な説明】
【００２６】
【図１】ラックの一部分を示す斜視図である。
【図２】梁材端部の係止板を示す斜視図である。
【図３】支柱の横断平面図と、当該支柱の両側に架設される２つの梁材の端部を示す平面図である。
【図４】支柱の片側に梁材を係止した状態を示す要部の横断平面図である。
【図５】Ａ図は支柱の片側に梁材を係止した状態を示す要部の正面図、Ｂ図は支柱の係止孔の詳細を示す要部の拡大縦断正面図である。
【図６】Ａ図は図５Ａの一部切欠き拡大図、Ｂ図はＡ図の中央縦断側面図である。
【図７】図６Ａの要部の縦断拡大正面図である。
【図８】抜け止め板の抜け止め作用を説明する要部の縦断側面図である。
【図９】抜け止め板のセット方法を説明する要部の縦断側面図である。
【図１０】別の実施形態を示す要部の横断平面図である。
【図１１】図１０に示す実施形態で使用されている支柱の要部の正面図である。
【符号の説明】
【００２７】
１    区画用垂直フレーム
２    荷支持用水平フレーム
３，４，２４    支柱
５    斜め連結材
６，７    梁材
８    桟材
９    支柱の前側板部
１０    支柱の左右両横側板部
１１    凹溝部
１１ａ    凹溝部の底板部
１１ｂ    凹溝部の左右両側板部
１２，１２Ａ，１２Ｂ    係止孔
１３ａ〜１４ｂ    切欠き凹部
１５    係止板
１９ａ    係止板の基板部
１９ｂ    係止板の嵌合部
２０    係止爪
２１    抜け止め板
２２    抜け止め板の外側突出部
２２ａ    抜け止め板外側突出部の上側突出部
２２ｂ    抜け止め板外側突出部の下側延出部
２３    抜け止め板の内側垂下部
【図１】
2007159947.tif 000003
【図２】
2007159947.tif 000004
【図３】
2007159947.tif 000005
【図４】
2007159947.tif 000006
【図５】
2007159947.tif 000007
【図６】
2007159947.tif 000008
【図７】
2007159947.tif 000009
【図８】
2007159947.tif 000010
【図９】
2007159947.tif 000011
【図１０】
2007159947.tif 000012
【図１１】
2007159947.tif 000013